(57)【要約】【課題】吹き出し形式のウィンドウであるバルーンを用いてテキストデータを表示する際に、バルーンで表示されるテキストデータをユーザが活用することのできるように表示する方法を提供する。【解決手段】吹き出し形式のウィンドウであるバルーンを用いてテキストデータを表示する方法であって、コンピュータのディスプレイに表示され、コンピュータのポインティングデバイスによってオブジェクトが指定されるステップ、指定されたオブジェクトに関連付けて記憶されたテキストデータを取得し、バルーンを用いて、取得したテキストデータをコピー＆ペーストが操作不可能な状態で表示するステップ、表示しているバルーンが指定されたとき、テキストデータをコピー＆ペーストが操作可能な状態に変更するステップからなることを特徴とする。【選択図】図１
2008197822.tif 000002
【特許請求の範囲】
【請求項１】
吹き出し形式のウィンドウであるバルーンを用いてテキストデータを表示する方法であって、コンピュータのディスプレイに表示されたオブジェクトの中から、ポインティングデバイスによって指定された前記オブジェクトに関連付けて記憶された前記テキストデータを取得し、前記バルーンを用いて、取得した前記テキストデータをコピー＆ペーストが操作不可能な状態で表示するステップ、表示している前記バルーンが選択されたとき、前記テキストデータをコピー＆ペーストが操作可能な状態に変更するステップからなることを特徴とする方法。
【請求項２】
コンピュータのディスプレイに表示されたオブジェクトの中から、ポインティングデバイスによって指定された前記オブジェクトに関連付けて記憶されたテキストデータを取得し、吹き出し形式のウィンドウであるバルーンを用いて、取得した前記テキストデータをコピー＆ペーストが操作不可能な状態で表示するステップ、表示している前記バルーンが選択されたとき、前記テキストデータをコピー＆ペーストが操作可能な状態に変更するステップを、コンピュータに実行させるためのコンピュータプログラム。
【発明の詳細な説明】
【技術分野】
【０００１】
本発明は、コンピュータのディスプレイに表示されたオブジェクトに関連するテキストデータを、吹き出し形式のウィンドウであるバルーンを用いて表示する技術に関する。
【背景技術】
【０００２】
パーソナルコンピュータ（PC: Personal Computer）のディスプレイに表示されたオブジェクトに関連するテキストデータを、吹き出し形式のウィンドであるバルーンを用いて表示する「バルーンヘルプ」と称される機能をＰＣは備えていることが多い（例えば、特許文献１）
【０００３】
バルーンヘルプでは、ユーザがマウスなどのでディスプレイに表示されたオブジェクト（例えば、アイコン）を指定すると、指定されたオブジェクトに関連付けられたテキストデータ（例えば、指定されたアイコンの名称）が、バルーンを用いて表示される。
【特許文献１】特許第２８０３２３６号
【発明の開示】
【発明が解決しようとする課題】
【０００４】
しかし、このバルーンヘルプで表示されるテキストデータはディスプレイに表示されるためだけに利用され、コピー＆ペーストの操作などによって、バルーンヘルプで表示されるテキストデータをユーザは活用することはできなかった。
【０００５】
そこで、本発明は、バルーンヘルプのように、吹き出し形式のウィンドウであるバルーンを用いてテキストデータを表示する際に、バルーンで表示されるテキストデータをユーザが活用することのできるように表示する方法を提供し、更に、この方法を実現するために必要なコンピュータプログラムを提供することを目的とする。
【課題を解決するための手段】
【０００６】
上述した課題を解決する第１の発明は、吹き出し形式のウィンドウであるバルーンを用いてテキストデータを表示する方法であって、コンピュータのディスプレイに表示されたオブジェクトの中から、ポインティングデバイスによって指定された前記オブジェクトに関連付けて記憶された前記テキストデータを取得し、前記バルーンを用いて、取得した前記テキストデータをコピー＆ペーストが操作不可能な状態で表示するステップ、表示している前記バルーンが選択されたとき、前記テキストデータをコピー＆ペーストが操作可能な状態に変更するステップからなることを特徴とする。
【０００７】
更に、第２の発明は、コンピュータのディスプレイに表示されたオブジェクトの中から、ポインティングデバイスによって指定された前記オブジェクトに関連付けて記憶されたテキストデータを取得し、吹き出し形式のウィンドウであるバルーンを用いて、取得した前記テキストデータをコピー＆ペーストが操作不可能な状態で表示するステップ、表示している前記バルーンが選択されたとき、前記テキストデータをコピー＆ペーストが操作可能な状態に変更するステップを、コンピュータに実行させるためのコンピュータプログラムである。
【０００８】
本発明によれば、前記バルーンが指定されたときに、前記テキストデータをコピー＆ペーストが操作可能な状態に変更することで、ユーザは、コピー＆ペーストの操作によって、前記テキストデータの利用が可能になる。なお、前記テキストデータをコピー＆ペーストが操作可能な状態にするときは、前記テキストデータの選択の許可に係るプロパティの値を、選択を許可する値に設定すればよい。
【発明の効果】
【０００９】
本発明によれば、バルーンヘルプのように、吹き出し形式のウィンドウであるバルーンを用いてテキストデータを表示する際に、バルーンで表示されるテキストデータをユーザが活用することのできるように表示する方法を提供でき、更に、この方法を実現するために必要なコンピュータプログラムを提供できる。
【発明を実施するための最良の形態】
【００１０】
ここから、吹き出し形式のウィンドウであるバルーンを用いてテキストデータを表示する方法について、図を参照しながら詳細に説明する。図１は、本発明に係る方法のフロー図である。
【００１１】
本発明に係る方法の最初のステップＳ１は、マウスなどのポインティングデバイスによって、コンピュータのディスプレイに表示されているオブジェクトの中から、対象となるオブジェクトが指定されるステップである。
【００１２】
このステップでは、特許文献１に記載されているように、本発明に係る方法を実行させるためのアイコンが選択された後に、ポインティングデバイスのポインタが、オブジェクトを表示している領域内に移動することで、バルーン表示の対象となるオブジェクトが指定される。なお、ここでオブジェクトとは、アイコン、フォルダー及びファイルの絵図柄や、ディスプレイに表示されている単語やフレーズなどのテキストを意味する。
【００１３】
次のステップＳ２は、ステップＳ１で選択されたオブジェクトに関連付けられて記憶されたテキストデータを取得し、バルーンを用いて取得したテキストデータを表示するステップである。
【００１４】
このステップで取得するテキストデータは、オブジェクトのメタデータとして記憶されていたり、オブジェクトの名称などに関連付けてデータベース化して記憶される。なお、このステップで、バルーンを用いて、取得したテキストデータを表示するとき、テキストデータの選択に係るプロパティを、選択を許可しない値に設定することで、バルーンを用いて表示されたテキストデータのカット＆ペーストの操作は禁止される。
【００１５】
ステップＳ２でテキストデータを表示した後、バルーンの消去条件が発生したときはステップＳ４に進み、表示したバルーンが指定されたときはステップＳ３に進む。
【００１６】
バルーンの消去条件とは、バルーンを表示してから所定量の時間経過か、或いは、所定領域外へのポインタの移動であって、いずれの消去条件が成立したときにはステップＳ４に進み、ステップＳ４では、ステップＳ２で表示したバルーンを消去する。
【００１７】
バルーンの消去条件が成立する前に、バルーンを表示している領域内にポインタの座標が移動すると、表示しているバルーンが指定されたことになりステップＳ３へ進む。すなわち、上述した所定領域とは、オブジェクト及びバルーンが表示されている領域になる。
【００１８】
ステップＳ３においては、バルーンを用いて表示されたテキストデータの選択に係るプロパティを、選択を許可しない値から選択を許可する値に変更することで、バルーンを用いて表示されたテキストデータのカット＆ペーストの操作が許可される。
【００１９】
ステップＳ３が実行された後、所定時間が経過すると、ステップＳ４に進み、上述しているようにステップＳ２で表示したバルーンは消去される。
【００２０】
このように、本発明に係る方法によれば、バルーンが指定されたときに、バルーンを用いて表示されたテキストデータの選択に係るプロパティを、選択を許可しない値から選択を許可する値に変更することで、バルーンを用いて表示されたテキストデータに対してコピー＆ペーストの操作が行えるようになる。
【００２１】
ここから、コンピュータにインストールされたワードプロセッサを例に取りながら、本発明の効果について更に説明する。この例においては、バルーン表示の対象となるオブジェクトは、ワードプロセッサに入力された英単語で、バルーンを用いて英単語の意味が表示される。
【００２２】
図２は、本発明に係る方法が適用されたコンピュータ１のブロック図である。図２に図示したように、コンピュータ１には、ポインティングデバイスとしてマウス１１が接続され、オペレーティング上で動作するアプリケーションとしてワードプロセッサ１０がインストールされている。このワードプロセッサ１０は、ワードプロセッサに入力された英単語の意味を、バルーンを用いて表示するバルーン表示ルーチン１００を備え、更に、様々な英単語の意味を記憶した辞書データベース１０１を備える。
【００２３】
なお、図２において、本発明に係る方法を実現するためのコンピュータプログラムであるバルーン表示ルーチン１００はアプリケーション（ここでは、ワードプロセッサ）に備えられているが、コンピュータのオペレーティングシステムが、本発明に係る方法を実現するためのルーチンを構え、アプリケーションがオペレーティングシステムのルーチンを呼び出して利用する形式でもよい。
【００２４】
図３は、ワードプロセッサ１０に入力された英単語を指定したときの図である。英単語の意味を表示するアイコン１０ａをクリックするとバルーン表示ルーチン１００が実行し、ワードプロセッサ１０は、バルーンを用い、選択された英単語の意味を表示するモードに遷移する。
【００２５】
ユーザがコンピュータ１に接続されたマウス１１のポインタ１１０を英単語（ここでは、pen）に合わせることで、図１のステップＳ１が実行され、対象となるオブジェクト（ここでは、英単語）が指定される。      
【００２６】
図４は、指定された英単語の意味が、バルーンを用いて表示されたときの図である。英単語が表示されている領域内にユーザがマウス１１のポインタ１１０が移動すると、アプリケーションは英単語が指定されたと判断し、バルーン表示ルーチン１００は図１のステップＳ２を実行し、指定された英単語（ここでは、pen）の意味を辞書データベース１０１から検索し、バルーン１００ａを用いて検索した英単語（ここでは、pen）の意味を表示する。      
【００２７】
なお、ワードプロセッサ１０を選択された英単語の意味を表示するモードに遷移させるための動作は、アイコン１０ａをクリックする動作以外でもよく、例えば、マスス１１によって英単語が選択されるとバルーン表示ルーチン１００が自動的に実行し、ワードプロセッサ１０を選択された英単語の意味を表示するモードに遷移させてもよい。
【００２８】
図５は、バルーン１００ａが指定されたときの図である。ユーザは、バルーン１００ａに表示された英単語の意味を利用したいとき、マウス１１のポインタ１１０をバルーン１００ａが表示されている領域内に移動させると、ワードプロセッサ１０はバルーン１００ａが指定されたと判断し、バルーン表示ルーチン１００は図１のステップＳ３を実行し、バルーン１００ａで表示しているテキストデータ（ここでは、英単語の意味）の選択に係るプロパティを、選択を許可しない値から選択を許可する値に変更する。
【００２９】
バルーン１００ａで表示しているテキストデータ（ここでは、英単語の意味）の選択に係るプロパティを、選択を許可する値に変更することで、バルーン１００ａで表示しているテキストデータのカット＆ペーストの操作が許可される。
【００３０】
図６は、バルーン１００ａで表示されたテキストデータが選択されたときの図で、図６では、バルーン１００ａで表示されたテキストデータの中で、「ペン」が選択されている。
【００３１】
図７は、バルーン１００ａで表示されたテキストデータがコピー＆ペーストされたときの図である。バルーン１００ａで表示されたテキストデータが選択された状態で、ドラッグ＆ドロップの操作が実行されると、選択されたテキストデータ（ここでは、「ペン」）がコピー＆ペーストされ、ワードプロセッサ１０に張り込まれる。
【図面の簡単な説明】
【００３２】
【図１】吹き出し形式のウィンドウであるバルーンを用いてテキストデータを表示する方法のフロー図。
【図２】本発明に係る方法が適用されたコンピュータのブロック図。
【図３】ワードプロセッサに入力された英単語を指定したときの図。
【図４】指定された英単語の意味が、バルーンを用いて表示されたときの図。
【図５】バルーンが指定されたときの図。
【図６】バルーンで表示されたテキストデータが選択されたときの図。
【図７】バルーンで表示されたテキストデータがコピー＆ペーストされたときの図。
【符号の説明】
【００３３】
１  コンピュータ
１０  ワードプロセッサ
１０ａ  アイコン
１００  バルーン表示ルーチン
１００ａ  バルーン
１０１  辞書データベース
１１  マウス
１１０  ポインタ
【図１】
2008197822.tif 000003
【図２】
2008197822.tif 000004
【図３】
2008197822.tif 000005
【図４】
2008197822.tif 000006
【図５】
2008197822.tif 000007
【図６】
2008197822.tif 000008
【図７】
2008197822.tif 000009